(57)【要約】【課題】携帯電話のメールアドレスを変更したときに、当該携帯電話のユーザが利用しているプッシュ型の情報提供サービスのサービス提供者に対して、変更したメールアドレスを自動的に通知すること。【解決手段】携帯通信端末のメールアドレスの変更を所定のサービス提供者に通知する方法において、変更前のメールアドレスと携帯電話事業者の運営するメールアドレスの変更を行なうページのＵＲＬを予めメモリに記憶するステップと、前記記憶されているＵＲＬと前記携帯通信端末で閲覧中のＵＲＬとが一致しているかどうかを検知し、当該ＵＲＬでメールアドレスが変更されたことを検知するステップと、変更前および変更後のメールアドレスを前記所定のサービス提供者に通知するステップと、を具備する。【選択図】図１
2007011867.tif 000002
【特許請求の範囲】
【請求項１】
携帯通信端末のメールアドレスの変更を所定のサービス提供者に通知する方法において、
変更前のメールアドレスと携帯電話事業者の運営するメールアドレスの変更を行なうページのＵＲＬを予めメモリに記憶するステップと、
前記記憶されているＵＲＬと前記携帯通信端末で閲覧中のＵＲＬとが一致しているかどうかを検知し、当該ＵＲＬでメールアドレスが変更されたことを検知するステップと、
変更前および変更後のメールアドレスを前記所定のサービス提供者に通知するステップと、を具備することを特徴とするメールアドレス変更通知方法。
【請求項２】
請求項１に記載の方法において、前記検知するステップは、変更後のメールアドレスを前記メモリに記憶するステップを更に具備することを特徴とするメールアドレス変更通知方法。
【請求項３】
請求項１または請求項２に記載の方法において、前記記憶するステップは、前記メモリに少なくとも１つのサービス提供者のメールアドレスを記憶するステップを含み、
前記通知するステップは、変更前メールアドレスと変更後メールアドレスを電子メールとして送信するステップを含むことを特徴とするメールアドレス変更方法。
【請求項４】
請求項２または請求項３のいずれか１項に記載の方法において、前記通知するステップの後に、前記メモリに記憶された変更後のメールアドレスを変更前のメールアドレスが記憶されている領域にコピーするステップを更に具備することを特徴とするメールアドレス変更通知方法。
【請求項５】
携帯通信端末のメールアドレスの変更を所定のサービス提供者に通知するプログラムにおいて、
変更前のメールアドレスと携帯電話事業者の運営するメールアドレスの変更を行なうページのＵＲＬを予めメモリに記憶する手段と、
前記記憶されているＵＲＬと前記携帯通信端末で閲覧中のＵＲＬとが一致しているかどうかを検知し、当該ＵＲＬでメールアドレスが変更されたことを検知する手段と、
変更前および変更後のメールアドレスを前記所定のサービス提供者に通知する手段と、を具備することを特徴とするプログラム。
【請求項６】
所定の情報を表示する表示部と、
変更前のメールアドレスと携帯電話事業者の運営するメールアドレスの変更を行なうページのＵＲＬを記憶する記憶部と、
前記記憶部に記憶されているＵＲＬと前記表示部に表示されたＵＲＬとが一致しているかどうかを検知し、当該ＵＲＬでメールアドレスが変更されたことを検知する手段と、
変更前および変更後のメールアドレスを前記所定のサービス提供者に通知する手段と、を具備することを特徴とする携帯電話端末。
【発明の詳細な説明】
【技術分野】
【０００１】
本発明は、携帯電話端末（携帯電話以外のＰＤＡなどの携帯通信端末を含むものとするが、以下、単に「携帯電話」と称する）のユーザによってメールアドレスが変更されたときに、変更後の新しいメールアドレスを自動で通知する技術に関する。
【背景技術】
【０００２】
携帯電話によるパケット通信を実現する移動パケット通信システムでは、携帯電話とインターネット接続サーバとの通信プロトコルをそれぞれ終端し、それらを相互に接続するための機能を持つ移動メッセージ用パケット関門装置が配置されている。インターネット接続サーバは携帯電話端末の管理を電話番号により行なっている。しかしながら、携帯電話と当該サーバ間のアプリケーション通信は、汎用通信プロトコルであるＨＴＴＰ（Hyper Text Transfer Protocol）を用いている。このため、サーバには、電話番号などの情報を設定することができない。そこで移動メッセージ用パケット関門装置とサーバ間において新たに加入者情報伝達プロトコルを規定し、移動メッセージ用パケット関門装置から電話番号などの加入者情報を当該サーバに通知している（非特許文献１及び２参照）。
【０００３】
ところで、携帯電話のメールアドレスを変更する際、携帯電話のユーザは携帯電話に搭載されているブラウザを利用する（非特許文献３参照）。この方法では、携帯電話のユーザは携帯電話事業者の運営するメールアドレスの変更を行なうページのＵＲＬ（Uniform Resource Locator）にアクセスし、ブラウザ上で任意の新しいメールアドレスの候補を優先）順位をつけて複数個設定し、最終的に「決定」を選択し、それを実行するという非常に簡易な手続きでメールアドレスを変更することができる。一方、移動パケット通信システム側では前記、ユーザ側処理の完了後、新しいメールアドレスが携帯電話端末から移動メッセージ用パケット関門装置を経由してインターネット接続サーバに送信される。このとき、移動メッセージ用パケット関門装置からは電話番号などの加入者情報がインターネット接続サーバに送信される。携帯電話のインターネット接続サーバにはメールアドレスを管理するサーバがあり、当該サーバにて電話番号などの加入者情報を参照し、かつ、受信した前記メールアドレスの候補と同じメールアドレスが他のユーザによって既に利用されていないを確認する。もし同じメールアドレスが登録されていなければ、優先順位の高い候補を優先して新しいメールアドレスとして当該加入者のメールアドレスを更新する。メールアドレスの更新後、メールアドレス管理サーバは電子メールを利用して変更後のメールアドレスを当該ユーザに伝達する。
【０００４】
また、近年Ｊａｖａ（登録商標）（米Sun Microsystems社が提唱している、オブジェクト指向型開発環境）の実行環境が搭載されている携帯電話が広く普及している（非特許文献４参照）。Ｊａｖａ（登録商標）プログラムはアプリケーションとして実行可能である。つまりＪａｖａ（登録商標）アプリケーションのダウンロード時にはブラウザを介するが、一度ダウンロードを行なえば、以降はブラウザを起動する必要はない。また、携帯電話に搭載されているＪａｖａ（登録商標）実行環境には、Ｊａｖａ（登録商標）アプリケーションがサーバと通信するためのＡＰＩ（Application Program Interface）を搭載しており、ＨＴＴＰでの通信が可能である。
【０００５】
また、携帯電話のメール機能を利用することで、プッシュ型の情報提供が可能である。現在、企業等多くの組織は、例えば新商品の紹介や既存製品のサポート情報等の提供のため、携帯電話のメールアドレスを取得し、プッシュ型の情報提供を行なっている。この一方で、携帯電話のユーザの立場から見ると自分の求める情報が提供されることについては有意義と感じているが、迷惑メール等自分の求めていないメールが届くことも頻繁にあり、この場合には、ユーザは当然のことながら不快だと感じている。このため、迷惑メールが頻繁に届くという状態になったときには、一般的にメールアドレスを変更することで対処することが多い。しかし、メールアドレスが変更されてしまうと、本来欲しいと思っている組織からの情報も受信できなくなってしまい、情報提供者にとってもユーザにとっても不利益が生じてしまうという問題がある。また、従来のように携帯電話のユーザがメールアドレスの変更をサービス提供者に電話や電子メールを利用して直接連絡する方法だと、ヒューマンミスにより、前記連絡をし忘れてしまうという問題がある。
【０００６】
また、従来のように携帯電話のユーザがメールアドレスの変更をサービス提供者に電話や電子メールを利用して直接連絡する方法だと、メールアドレスを変更した時期と前記連絡の時期にタイムラグが生じてしまう可能性があり、タイムラグが生じている期間、サービス提供者は携帯電話のユーザに情報提供できないという問題がある。
【０００７】
【非特許文献１】ｉモードサービス特集ネットワーク方式、ＮＴＴＤＯＣＯＭＯテクニカル・ジャーナルＶｏｌ．７、Ｎｏ．２、ｐｐ．１６−２１
【０００８】
【非特許文献２】ｉモードサービス特集  ｉモードサーバ、ＮＴＴＤＯＣＯＭＯテクニカル・ジャーナルＶｏｌ．７、Ｎｏ２、ｐｐ．２２−２７
【０００９】
【非特許文献３】メールアドレスの変更  ＮＴＴドコモホームページ、http://www.nttdocomo.co.jp/info/meiwaku/change_add/index_img.html
【００１０】
【非特許文献４】高機能ｉモード携帯機特集  携帯機組み込みＪａｖａ（登録商標）の実用化、ＮＴＴＤＯＣＯＭＯテクニカル・ジャーナルＶｏｌ．９、Ｎｏ．１、ｐｐ．１６−２１
【発明の開示】
【発明が解決しようとする課題】
【００１１】
本発明は、携帯電話のメールアドレスを変更したときに、当該携帯電話のユーザが利用しているプッシュ型の情報提供サービスのサービス提供者に対して、変更したメールアドレスを自動的に通知することを目的とする。
【課題を解決するための手段】
【００１２】
本発明は、ユーザがメールアドレス変更を行うＵＲＬを閲覧したことを検知し、ユーザがメールアドレス変更の「決定」の操作を行ったかどうかを判定し、携帯電話事業者側のサーバからメールアドレスの更新が通知されたことを検知したら、携帯電話端末のメモリに登録されているサービス提供者に対し、更新後のメールアドレスを自動的にメールで送信することを特徴とする。
【００１３】
具体的には、携帯通信端末のメールアドレスの変更を所定のサービス提供者に通知する方法、プログラム或いは当該機能を備えた装置であって、変更前のメールアドレスと携帯電話事業者の運営するメールアドレスの変更を行なうページのＵＲＬを予めメモリに記憶し、前記記憶されているＵＲＬと前記携帯通信端末で閲覧中のＵＲＬとが一致しているかどうかを検知し、当該ＵＲＬでメールアドレスが変更されたことを検知し、変更前および変更後のメールアドレスを前記所定のサービス提供者に通知することを特徴とする。
【発明の効果】
【００１４】
本発明によれば、携帯電話のユーザの意思で特定のサービス提供者からのみプッシュ型の情報提供サービスを受けることが可能となる。更に、変更後の新しいメールアドレスを特定のサービス提供者に即座に通知することができ、当該サービス提供者はライムラグのない情報提供が可能となる。  
また、携帯電話が自動的に変更後の新しいメールアドレスを特定のサービス提供者に通知するため、従来のように携帯電話のユーザがメールアドレスの変更をサービス提供者に電話や電子メールを利用して直接連絡する場合に生じる可能性のあった連絡のし忘れというヒューマンミスを避けることができる。
【発明を実施するための最良の形態】
【００１５】
図面を参照して本発明の実施の形態を説明する。  
図１は本発明の一実施形態に係る携帯電話端末（以下、単に「携帯電話」と称する）が適用されるシステム構成例を示す図である。図１に示すように、携帯電話事業者は携帯電話によるパケット通信を実現するために移動パケット通信システムを構築している。
【００１６】
具体的には、移動パケット通信システムにおいては、携帯電話は移動メッセージ用パケット関門装置に接続され、移動メッセージ用パケット関門装置はインターネット接続サーバ群に接続されている。インターネット接続サーバ群にはインターネット接続サーバとメールアドレス管理サーバがある。インターネット接続サーバは図示しない通信インターフェースを介してインターネットや他のＩＰネットワークに接続されている。  
移動パケット通信システムにおいて、移動メッセージ用パケット関門装置はインターネット接続サーバ群に電話番号等の加入者情報を通知する。インターネット接続サーバはインターネットやその他のＩＰネットワークに接続する。また、メールアドレス管理サーバは加入者のメールアドレスのアカウント名を管理する。
【００１７】
サービス提供者は、例えば、インターネットに接続されたインターネット接続サーバを備えており、プログラムやメッセージを、ネットワークを介して送受信可能となっている。なお、サービス提供者は、自社でインターネット接続システムを構築していること、もしくはＩＳＰ事業者を利用していることに関わらず、インターネットに接続できる環境にあり、プログラムやメッセージを送受信できれば良い。
【００１８】
図２は、ユーザの持つ携帯電話にメールアドレス変更通知プログラムをダウンロードする一実施形態を示す図である。  
図２に示すように、サービス提供者は、メールアドレス変更通知プログラムを作成し、当該プログラムをサービス提供者の運営するホームページ等を介して一般に公開する。これにより、携帯電話のユーザがメールアドレス変更通知プログラムをダウンロード可能な状態になる。  
一方、携帯電話のユーザは、前記サービス提供者の実施しているプッシュ型のメール配信サービスを望むときに、携帯電話に搭載されているブラウザを利用して、サービス提供者が運営しているメールアドレス変更通知プログラムを公開しているホームページにアクセスする。そして、当該ホームページを介してメールアドレス変更通知プログラムをダウンロードする。
【００１９】
図３は本発明の一実施形態に係る携帯電話の機能構成を示すブロック図である。  
本実施形態における携帯電話は、制御部１１と表示部１２と入力部１３と通信インターフェース１４と記憶部１５を具備し、それらはバスを通じて接続されている。制御部１１は、表示部１２と入力部１３と通信インターフェース１４と記憶部１５とのデータのやり取りを制御し、また、プログラムの実行や、その他の演算を行なう。表示部１２は、制御部１１により演算されたデータをテキストや画像として表示する。入力部１３は、携帯電話に配置されているボタンなどの図示しない入力装置からデータの取得を行なう。  
通信インターフェース１４は、制御部１１により演算されたデータをＨＴＴＰプロトコルに則ってデータを送受信する。
【００２０】
記憶部１５は、携帯電話を操作するにあたり利用するデータやソフトウェアを記憶している。記憶部１５は、プログラム実行環境１５１とＷＥＢブラウザ１５２とデータメモリ１５３とプログラムメモリ１５４を具備する。
プログラム実行環境１５１は、任意のプログラム言語で記載されたプログラムを実行する環境である。ただし、現在市販されている多くの携帯電話ではプログラム実行環境１５１としてＪＡＶＡ（登録商標）の実行環境を具備している。  
ＷＥＢブラウザ１５２は、携帯電話で利用できるＷＥＢのブラウジングソフトウェアである。データメモリ１５３は、電話番号やメールアドレスなどのデータを記憶するメモリである。プログラムメモリ１５４は、プログラム実行環境１５１で実行させるプログラムを記憶するメモリである。本実施形態に係る携帯電話では、プログラムメモリにはメールアドレス変更通知プログラム１５４１が記憶されている。
【００２１】
図４は、本実施形態においてメールアドレス変更通知プログラム２１の構成と、それらが参照するデータの構成図である。  
本発明では、メールアドレス変更通知プログラムが実行されることによって、変更後のメールアドレスがサービス提供者に通知され、サービス提供者はプッシュ型の情報伝達を継続することが可能となる。
【００２２】
メールアドレス変更通知プログラム２１は、ＵＲＬ（Uniform Resource Locater）登録プログラム２１１とサービス提供者のメールアドレス登録プログラム２１２と変更前のメールアドレスの取得プログラム２１３とＵＲＬ検知プログラム２１４と変更決定検知プログラム２１５と変更後のメールアドレスの取得プログラム２１６とメールアドレスの送信プログラム２１７と変更後のメールアドレスの登録プログラム２１８とを備えている。  
また、プログラムの利用データ２２として、データメモリ１５３には、メールアドレスを変更するページのＵＲＬ２２１とサービス提供者のメールアドレス２２２と変更前メールアドレス２２３と変更後メールアドレス２２４が記憶される。ここで、メールアドレスを変更するページのＵＲＬ２２１は、携帯電話事業者の運営するメールアドレスの変更を行なうページのＵＲＬであり、サービス提供者のメールアドレス２２２は、サービス提供者のメールアドレスであり、変更前メールアドレス２２３は変更する前のメールアドレスであり、変更後メールアドレス２２４は変更した後のメールアドレスである。
【００２３】
ＵＲＬ登録プログラム２１１は、携帯電話事業者の運営するメールアドレスの変更を行なうページのＵＲＬを、メールアドレスを変更するＵＲＬ２２１に記憶する。サービス提供者のメールアドレス登録プログラム２１２は、サービス提供者のメールアドレスをサービス提供者のメールアドレス２２２に記憶する。  
変更前のメールアドレスの取得プログラム２１３は、当該プログラムが実行されているとき（メールアドレスの変更前の段階）のメールアドレスを参照して、当該メールアドレスを変更前メールアドレス２２３に記憶する。  
ＵＲＬ検知プログラム２１４は、携帯電話ユーザがブラウジングにより閲覧しているＵＲＬを確認し、データメモリ部に記憶されているメールアドレスの変更を行なうページのＵＲＬを参照して、これらが同一のＵＲＬであるか否かを判断する。  
変更決定検知プログラム２１５は、ユーザの操作を監視し、ブラウザ上で任意の新しいメールアドレスを設定した後、最終的に「決定」を選択し、メールアドレスの変更を実行したか否かを判断する。
【００２４】
変更後のメールアドレスの取得プログラム２１６は携帯電話による変更前のメールアドレスを変更後のメールアドレスに更新する処理を検知すると共に、または、検知後に、メールアドレスを参照して、変更後のメールアドレスを変更後メールアドレス２２４に記憶する。メールアドレスの送信プログラム２１７はデータメモリに記憶されたサービス提供者のメールアドレス２２２を参照し、当該メールアドレス２２２を宛先として、変更前メールアドレス２２３と変更後メールアドレス２２４を電子メールとして、サービス提供者に送信する。  
変更後のメールアドレスの登録プログラム２１８は、将来、再度メールアドレスを変更することを想定して、データメモリにある変更後メールアドレスを変更前メールアドレス２２３にコピーし、記憶する。
【００２５】
図５を参照して、上記のように構成された本発明の一実施形態に係る携帯電話の動作を説明する。図５は、メールアドレス変更通知プログラム２１の動作の流れを示すフローチャートである。なお、以下の説明では、サービス提供者毎にメールアドレス変更通知プログラム２１が公開されているものとし、当該プログラム２１をダウンロードすることにより、変更後のメールアドレスが通知されるものとする。  
携帯電話のユーザが、サービス提供者の公開しているメールアドレス変更通知プログラム２１をダウンロードすると、ＵＲＬ登録プログラム２１１を実行し（ステップＳ１１）、サービス提供者のメールアドレス登録プログラム２１２を実行する（ステップＳ１２）。これにより、携帯電話事業者の運営するメールアドレスを変更するためのＵＲＬ２２１とサービス提供者のメールアドレス２２２がプログラムの利用データ２２に記憶される。次に、変更前のメールアドレスを取得するために、変更前のメールアドレスの取得プログラム２１３を実行する（ステップＳ１３）。そして、ＵＲＬ検知プログラム２１４を実行する（ステップＳ１４）。なお、ＵＲＬ検知プログラム２１４は携帯電話のメモリ上に常駐するプロセスとして実行される。これにより、ユーザがメールアドレスを変更するホームページを閲覧しているかどうかが検知可能になる。
【００２６】
ユーザがブラウジングにより閲覧しているＵＲＬと、データメモリ１５３に記憶されているメールアドレス変更用のＵＲＬが一致することを、ＵＲＬ検知プログラム２１４が検知すると（ステップＳ１５のＹ）、変更決定検知プログラム２１５が実行される（ステップＳ１６）。ＵＲＬ検知プログラム２１４が閲覧しているＵＲＬと、データメモリ１５３に記憶されているメールアドレス変更用のＵＲＬとが一致していることを検知しない場合には、ステップＳ１４に戻り、ＵＲＬ検知プログラム２１４によるＵＲＬの検知が実行される（ステップＳ１５）。
【００２７】
ステップＳ１６において、変更決定検知プログラム２１５が、メールアドレスの変更が実行されたことを検知した場合には（ステップＳ１７のＹ）、ステップＳ１８に移行し、変更後のメールアドレスの取得プログラム２１６を実行する（ステップＳ１８）。変更後のメールアドレスの取得プログラム２１６は、変更後のメールアドレスを取得して、データメモリ１５３に記憶する。なお、ステップＳ１７において、メールアドレスの変更の実行が検知されないときには、ステップＳ１４に戻る（ステップＳ１７のＮ）。
【００２８】
次に、メールアドレスの送信プログラム２１７を実行して、変更前及び変更後のメールアドレスをサービス提供者に送信する（ステップＳ１９）。  
最後に、変更後のメールアドレスの登録プログラム２１８を実行して、変更後のメールアドレスを、変更前のメールアドレスとしてデータメモリ１５３に記憶する（ステップＳ１１０）。そして、ステップＳ１４に戻り、ユーザの閲覧するＵＲＬの監視を行う。
【００２９】
図６は、通信システム上で変更後のメールアドレスがサービス提供者に伝達される手順を示す図である。  
携帯電話のユーザがメールアドレスの変更を実行したとき、複数個の新しいメールアドレスの候補がメールアドレス管理サーバに送信される（Ｓ２１）。次に、メールアドレス管理サーバは受信した前記メールアドレスの候補と同じメールアドレスが他のユーザによって既に利用されていないを確認する。もし同じメールアドレスが登録されていなければ、優先順位の高い候補を優先して新しいメールアドレスとして当該加入者のメールアドレスを更新する。メールアドレスの更新後、メールアドレス管理サーバは電子メールを利用して変更後のメールアドレスを当該ユーザに伝達する（Ｓ２２）。
【００３０】
上記の手続きにおいて、ユーザがメールアドレスの変更を実行したときに（Ｓ２１）、図５のステップＳ１４に示すＵＲＬ検知プログラム２１４によるＵＲＬの検知が行われる。そして、メールアドレス管理サーバから、変更後のメールアドレスがユーザに通知される（Ｓ２２）と、図５のステップＳ１６で、変更決定検知プログラム２１５により、メールアドレスの変更が実行されたことが検知される。そして、図５のステップＳ１９においてメールアドレスの送信プログラム２１７で実行されたとき、変更前のメールアドレスと変更後のメールアドレスが、移動パケット通信システムの移動メッセージ用パケット関門装置とインターネット接続サーバとインターネット網を経由して、サービス提供者の参照するメールボックスに送信される（Ｓ２３）。このようにして、サービス提供者に対して変更後のメールアドレスが通知される。
【００３１】
本発明は、上記各実施の形態に限ることなく、その他、実施段階ではその要旨を逸脱しない範囲で種々の変形を実施し得ることが可能である。例えば、上記の実施形態では、携帯電話のユーザが、サービス提供者の公開しているメールアドレス変更通知プログラムをダウンロードするとしたが、メールアドレス変更通知プログラムを携帯電話事業者が用意し、当該メールアドレス変更通知プログラムによって、サービス提供者に変更前および変更後のメールアドレスを通知するようにしても良い。これにより、複数のサービス提供者に対するメールアドレスの変更を一括して行うことが可能になる。  
さらに、上記各実施形態には、種々の段階の発明が含まれており、開示される複数の構成要件における適宜な組合せにより種々の発明が抽出され得る。
【００３２】
また、例えば各実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００３３】
【図１】本発明の一実施形態に係る携帯電話端末が適用されるシステム構成例を示す図。
【図２】ユーザの持つ携帯電話にメールアドレス変更通知プログラムをダウンロードする一実施形態を示す図。
【図３】本発明の一実施形態に係る携帯電話の機能構成を示すブロック図。
【図４】本実施形態においてメールアドレス変更通知プログラムの構成と、それらが参照するデータの構成図。
【図５】メールアドレス変更通知プログラム２１の動作の流れを示すフローチャート。
【図６】通信システム上で変更後のメールアドレスがサービス提供者に伝達される手順を示す図。
【符号の説明】
【００３４】
１１・・・制御部
１２・・・表示部
１３・・・入力部
１４・・・通信インターフェース
１５・・・記憶部
１５１・・・プログラム実行環境
１５２・・・ＷＥＢブラウザ
１５３・・・データメモリ
１５４・・・プログラムメモリ
２１・・・メールアドレス変更通知プログラム
２１１・・・ＵＲＬ登録プログラム
２１２・・・サービス提供者のメールアドレス登録プログラム
２１３・・・変更前のメールアドレスの取得プログラム
２１４・・・ＵＲＬ検知プログラム
２１５・・・変更決定検知プログラム
２１６・・・変更後のメールアドレスの取得プログラム
２１７・・・メールアドレスの送信プログラム
２１８・・・変更後のメールアドレスの登録プログラム
２２・・・プログラムの利用データ
２２１・・・メールアドレスを変更するページのＵＲＬ
２２２・・・サービス提供者のメールアドレス
２２３・・・変更前メールアドレス
２２４・・・変更後メールアドレス
【図１】
2007011867.tif 000003
【図２】
2007011867.tif 000004
【図３】
2007011867.tif 000005
【図４】
2007011867.tif 000006
【図５】
2007011867.tif 000007
【図６】
2007011867.tif 000008